(57)【要約】【課題】単に真直状になっているだけではなく、伸縮させることもできるバトン玩具の提供。【解決手段】中央の筒状部材２の内側に挿入された可動部材３をスライドにより伸縮可能とし、かつ可動部材３を常時伸長する方向にバネ付勢するとともに、筒状部材２と可動部材３には、可動部材３が筒状部材２の内部に挿入して縮んだ状態で係止する係止手段１０を設けるとともに、筒状部材２には、上記係止を外すためのボタン１１を形成した。前記係止手段は上記の一側又は両側の可動部材に対する縮み状態における係止を選択的に外し可能としてもよい。【選択図】　　　　図３
0003098022.tif 000002
【実用新案登録請求の範囲】
【請求項１】
筒状部材に対して棒状の可動部材をスライドによって伸縮可能に挿入し、上記筒状部材と可動部材との間にはコイルバネを配置し、筒状部材の内部に可動部材が挿入して縮んだ状態のときに上記２つの部材に押圧されて上記コイルバネが縮むようにするとともに、上記筒状部材には、当該筒状部材の内部に可動部材が挿入して縮んだ状態で係止する係止手段と、上記係止を外すためのボタンとを設けたことを特徴とするバトン玩具。
【請求項２】
前記筒状部材の両側に前記可動部材をスライドによって伸縮可能に挿入し、前記係止手段は上記の一側又は両側の可動部材に対する縮み状態における係止を選択的に外し可能とした、請求項１記載のバトン玩具。
【考案の詳細な説明】
【０００１】
【考案の属する技術分野】
本考案は、伸縮するバトン玩具に関する。
【０００２】
【従来技術とその問題点】
一般に、バトントワリングに用いられるバトンを模した形状に形成された玩具には、両端に球状部を形成し、この球状部の内部に粒状物を入れ、玩具を振り回したときに粒状物が球状部の内面に当って音が発生するようにしたものが知られている。
【０００３】
しかし、振り回して音が出るだけでは顧客吸引力に乏しい。したがって、さらに商品としての魅力がアップできるようなバトン玩具が望まれていた。
【０００４】
【考案が解決しようとする課題】
本考案は上記事情に鑑みて成立したもので、単に真直状になっているだけではなく、伸縮させることもできるバトン玩具を提供することをその課題とする。
【０００５】
【課題を解決するための手段】
前記課題を解決するため、本考案に係るバトン玩具は、筒状部材に対して棒状の可動部材をスライドによって伸縮可能に挿入し、上記筒状部材と可動部材との間にはコイルバネを配置し、筒状部材の内部に可動部材が挿入して縮んだ状態のときに上記２つの部材に押圧されて上記コイルバネが縮むようにするとともに、上記筒状部材には、当該筒状部材の内部に可動部材が挿入して縮んだ状態で係止する係止手段と、上記係止を外すためのボタンとを設けたことを特徴とする。
【０００６】
なお、前記筒状部材の両側に前記可動部材をスライドによって伸縮可能に挿入し、前記係止手段は上記の一側又は両側の可動部材に対する縮み状態における係止を選択的に外し可能とするのが好ましい。
【０００７】
【考案の実施の形態】
図１において符号１はバトン玩具を示す。このバトン玩具１は、筒状の部材に対して棒状の可動部材３をスライドによって伸縮可能に挿入することにより、全体がバトン状に構成されている。
【０００８】
筒状部材２は中央部材２ａとその両側の第１の中間部材２ｂと第２の中間部材２ｃとから構成され、中央部材２ａに対して第１の中間部材２ｂが、また第１の中間部材２ｂに対して第２の中間部材２ｃがスライドによって伸縮可能に挿入されている。なお、中央部材２ａと第１の中間部材２ｂの一端には、図３に示されるように、互いに係合可能な係合部４、５が形成され、中央部材２ａに対して第１の中間部材２ｂが抜け出さないようになっている。同様に、第１の中間部材２ｂと第２の中間部材２ｃ、第２の中間部材２ｃと可動部材３にも同様の抜け止め用係合部４、５が形成されている。そして、最大伸長時には各係合部４、５が係合するように構成されている。
【０００９】
可動部材３の端部には内部が中空な球状部６が形成され、内部には粒状物７が入っている。
【００１０】
次に、上記筒状部材２と可動部材３との間にはコイルバネ８が配置されている。詰まり、コイルバネ８の一端は可動部材３の端部に固定され、コイルバネ８の他端は筒状部材２に形成されたバネ受け片９に係合可能に構成されている。したがって、上記コイルバネ８は、図３及び図４に示されるように、筒状部材２の内部に可動部材３が挿入して縮んだ状態のときに上記筒状部材２のバネ受け片９と可動部材３に押圧されて縮むようになっている。
【００１１】
また、筒状部材２には、当該筒状部材２の内部に可動部材３が深く挿入して縮んだ状態で可動部材３に係止する係止手段１０と、上記係止を外すためのボタン１１とが設けられている。
【００１２】
すなわち、筒状部材２の中央部には係止手段１０が配置されている。係止手段１０は、二股に形成された係止脚１２を備え、軸芯に直交する方向に移動可能に設けられている。係止脚１２の先端には係止顎１３が形成されている。係止顎１３は可動部材３の端部の係合部５に係止できるようになっている。
【００１３】
係止手段１０の中央部にはボタン１１が形成され、筒状部材２に形成された貫通孔１５を貫通して外部に露出している。また、係止脚１２の間にはコイルバネ１４が配置されている。これにより、係止脚１２の係止顎１３は可動部材３の係合部に係止したときに、この係止状態を保持できるように付勢され、またボタン１１が筒状部材２から突出するように付勢されている。
【００１４】
上記構成において、図１に示されるように、筒状部材２と可動部材３とが伸長状態にあるときはバトンとして遊ぶことができる。リズムに合わせて振りまわせば発音するので、その音に合わせてダンスしたり歩いたりすることができる。
【００１５】
次に、両側の可動部材３を中央の筒状部材２に向けて押し込んでスライドさせて図２のように縮めると、図３、図４のように、筒状部材２の係止脚１２の係止顎１３は可動部材３の係合部５に係止し、コイルバネ１４によってこの係止状態が保持される。同時に、可動部材３のコイルバネ８は、筒状部材２のバネ受け片９と可動部材３に押圧されて縮む。これにより、バトン玩具１は最も短い状態となる。
【００１６】
短い状態から伸長させるときは、筒状部材２のボタン１１をコイルバネ１４に抗して押しこむ。これにより、係止脚１２の係止顎１３と可動部材３の係合部５との係止が外れるので、コイルバネ８の弾発力により、可動部材３が筒状部材２から遠ざかるように飛び出す。また、これに伴なって第１及び第２の中間部材２ｂ、２ｃも外方にスライドするので、全体として伸長状態となる。さらに可動部材３を外方に引き出して筒状部材２と第１と第２の中間部材２ｂ、２ｃと可動部材３の各端部をきつく係合させることにより、一体のバトンのように変化する。
【００１７】
なお、ボタン１１は傾けないで真直ぐに押すと両側の可動部材３が同時に伸長し、傾けて押すと、傾いた側の可動部材３との係止のみを外すことができるので、いずれか一側のみを選択的に伸長させることができる。
【００１８】
上述のように、上記バトン玩具１によれば、短縮状態から伸長状態に瞬間的に変化するので、驚きと面白さが伴なうバトン玩具１を提供することができる。しかも、筒状部材２の一側又は両側を伸長させることができるので、驚きも面白みも倍化する。
【００１９】
なお、上述の例では筒状部材２自体も伸縮する構造になっているが、必ずしもこれに限定されない。筒状部材２は一体に形成され、伸縮しなくてもよい。
【００２０】
【考案の効果】
請求項１に係る考案によれば、筒状部材と可動部材とが伸長状態にあるときはバトンとして遊ぶことができる。リズムに合わせて振りまわせば発音するので、その音に合わせてダンスしたり歩いたりすることができる。
【００２１】
筒状部材と可動部材とを係止させて短縮させた状態から伸長させるときは、筒状部材のボタンにより、筒状部材と可動部材との係止が外れ、コイルバネの弾発力により、可動部材が筒状部材から遠ざかるように飛び出して伸長する。短縮状態から伸長状態に瞬間的に変化するので、驚きと面白さが伴なうバトン玩具を提供することができる。
【００２２】
請求項２に係る考案によれば、短縮状態から筒状部材の一側のみを選択的に伸長させることができるので、驚きも面白みも倍化させることができる。
【図面の簡単な説明】
【図１】本考案に係るバトン玩具の伸長状態の正面図
【図２】上記バトン玩具の短縮状態の正面図
【図３】一側が短縮状態、他側が伸長状態の縦断面図
【図４】図３の一部拡大図
【符号の説明】
２　筒状部材
３　可動部材
１０　係止手段
１１　ボタン
【図１】
0003098022.tif 000003
【図２】
0003098022.tif 000004
【図３】
0003098022.tif 000005
【図４】
0003098022.tif 000006